(57)【要約】【課題】生ごみ処理装置つきの新たなシンクに取り換えることなく既に設置されている従来の流し台のシンクにおける排水口に生ごみを下水に流すことのない安価な生ごみ脱水機を容易に取り付け、かつ、円滑に回転させることができるための装置を提供する。【解決手段】軸部２０と台部３０を有する支持装置１０であって、当該支持装置１０を、シンク２０１の排水口２０２内における防臭わん２１０、防臭わん２２０あるいは防臭わん２３０上に載置し、生ごみ脱水機１００の軸受け部１２１ａを支持することで、スムーズに当該生ごみ脱水機１００を回転させることができる。【選択図】        図１
2016205114.tif 000002
【特許請求の範囲】
【請求項１】
生ごみ脱水機におけるごみかご本体の底部を回転可能に支持する支持装置であって、前記支持装置は台部と、軸部と、を有し、前記軸部は台部の表面のほぼ中心に配置したことを特徴とする生ごみ脱水機の支持装置。
【請求項２】
前記台部の裏面には、シンクの排水口内に配置される防臭わんの上部におけるつまみ部に係合する係合受部と、を有し、前記軸部は台部の表面のほぼ中心に配置したことを特徴とする請求項１記載の生ごみ脱水機の支持装置。
【請求項３】
前記係合受部は、排水口内に配置される防臭わんの上部における十字あるいはＹの字状のつまみ部と係合するために、前記台部における裏面に円形の内壁部と台部の裏面外周に外壁部と、前記内壁部から外壁部に向かってほぼ放射状に溝状の係合受部と、前記放射状の係合受部は少なくとも、９０度ごとにずらしたほぼ十字状の第１係合受部と、ほぼ１２０度ごとにずらしたほぼＹの字状の第２係合受部と、を有することを特徴とする請求項２記載の生ごみ脱水機の支持装置。
【請求項４】
前記９０度ごとにずらしたほぼ十字状の第１係合受部と、ほぼ１２０度ごとにずらしたほぼＹの字状の第２係合受部と、の一部が共通することを特徴とする請求項３記載の生ごみ脱水機の支持装置
【請求項５】
前記台部の裏面には、シンクの排水口内に配置される防臭わんの溝部に取り付けるための取り付け部と係合する係合受部と、を有することを特徴とする請求項１記載の生ごみ脱水機の支持装置。
【請求項６】
前記係合受部は、排水口内に配置される防臭わんの溝部に取り付ける取り付け部と係合するために、前記台部における裏面に円形の内壁部と当該台部の裏面外周に外壁部と、を有し、前記内壁部から外壁部に向かってほぼ放射状に溝状の係合受部を有し、前記放射状の係合受部は少なくとも、ほぼ１２０度ごとにずらしたほぼＹの字状の係合受部を有することを特徴とする請求項５記載の生ごみ脱水機の支持装置。
【請求項７】
前記係合受部に、取り付け部を取り付けた請求項６記載の生ごみ脱水機の支持装置。
【請求項８】
生ごみ脱水機におけるごみかご本体の底部を回転可能に支持する支持装置であって、前記支持装置は、生ごみ脱水機を支持するための軸部と、防臭わんに取り付けるための脚部と、を有する生ごみ脱水機の支持装置。
【請求項９】
前記軸部は取り外し可能に配置することを特徴とする請求項１から８いずれか１項記載の生ごみ脱水機の支持装置。
【請求項１０】
ごみかご本体の底部における中心を、前記請求項１から９のいずれか１項記載の生ごみ脱水機の支持装置によって支持することを特徴とする生ごみ脱水機。
【請求項１１】
生ごみ脱水機は、ごみかご本体と、蓋体と、回転体と、駆動体と、を有し、駆動体を回転させるとこれと噛合する回転体が回転し、回転体が有するかご体係合部がごみかご本体を回転させるとともに当該ごみかご本体の底部における中心を、前記請求項１から１０のいずれか１項記載の生ごみ脱水機の支持装置によって支持することを特徴とする生ごみ脱水機。
【発明の詳細な説明】
【技術分野】
【０００１】
本発明は、生ごみ脱水機の支持装置及び生ごみ脱水機に関するものである。
【背景技術】
【０００２】
従来、生ごみを処理するためには、流し台のシンクに置かれた三角コーナーに、水切りネットをかけ、それに生ごみを入れることによって自然に水切りがなされるのを待ちつつ、その三角コーナーが生ごみで満たされると、さらに水気を切ってから水切りネットごとごみ箱に捨てることによって処理をしていた。
【０００３】
このような三角コーナーを流し台のシンクに配置すると、調理の妨げになる場合があることから、これを防ぐために、シンクにおける排水口内に生ごみ籠を配置していた。また、当該生ごみ籠の下に、下水管から室内に害虫や悪臭が流入するのを防止するために、排水を滞留した封水とそれを留め置く防臭わんと呼ばれる部材が配置されている。これは封水と防臭わんによって下水管からの悪臭等を遮断し、かつ、この生ごみ籠により、排水時において下水管に生ごみ等がそのまま流されることなく該生ごみを回収することができる公知の構成である。また、シンクの排水口内に生ごみ籠が設置されている場合において、防臭わんと封水を設けることなく排水管を屈曲するように構成する、いわゆるＳ字トラップを設けることで悪臭等を防止する流し台も公知である。
【０００４】
これらの水切りは、例えば三角コーナーの場合には生ごみの入った水切りネットを手に持ち水気を絞ったり、あるいはシンクの排水口内に配置された上記生ごみ籠に集められた生ごみの水気を絞ったりした後に当該生ごみを廃棄して処理をする。しかしながら、この場合に悪臭を発する生ごみに触れて水気を切らなければならず、これらの作業は極めて不快である。また、生ごみは最終的に焼却処理されるが、水気があると焼却場の効率を悪化させるものとなる。これを解決するものとして、特開平９−２９０１７３号において生ごみ処理装置なるものが開示されている。
【０００５】
上記生ごみ処理装置は、流し台の底部に形成した集水口から排水口に延びる排水管内が隔壁により前記集水口に連通する生ごみ回収室と前記排水口に連通する排水室とに区画され、前記隔壁の側部に複数の脱水孔を有する脱水部が形成されると共に、前記隔壁の底部に複数のごみ排出孔を有する固定カッターが設けられ、前記生ごみ回収室内に生ごみ圧搾用スクリューが回転駆動可能に配置されると共に、該スクリューの先端に前記固定カッターに接近して回転カッターが設けられていることを特徴とするものである。
【０００６】
しかしながら、上記発明に係る生ごみ処理装置は、あらかじめ、シンクに組み込まれているものであることから、この生ごみ処理装置を設置するためにはシンク全体を交換しなければならずコストがかさむことになる。また、生ごみを固定カッターで粉砕し、そのまま下水管に流すという構成であることから、家庭内において生ごみを処理する必要がないが、粉砕された生ごみが下水管を塞ぐ場合がある。また、また自治体によっては下水の処理の能力の関係から処理するための負担を生じさせる場合がある。
【先行技術文献】
【特許文献】
【０００７】
【特許文献１】特開平９−２９０１７３号公報
【発明の概要】
【発明が解決しようとする課題】
【０００８】
本発明の課題は、生ごみ処理装置付の新たなシンクに取り換えることなく、既に設置されている従来の流し台のシンクにおける排水口内において、生ごみ脱水機におけるごみかご本体の底部を円滑に回転することができ、かつ容易に取り付けることができる支持装置を提供することを目的とする。また、前記支持装置により支持した前記生ごみ脱水機を提供することを目的とする。
【０００９】
上記目的に鑑み鋭意研究の結果、排水口内に生ごみ脱水機を配置した場合において当該ごみかご本体の底部の中心を支えることにより、ごみかご本体がスムーズに回転することで生ごみの効率的な脱水ができることを発見した。すなわち、排水口内の構成にかかわらず、当該脱水機におけるごみかご本体の底部の中心を支持することで当該ごみかご本体のスムーズな回転ができることを見出したものである。このような発見のもと、前記の課題を解決するため、本実施例は、生ごみ脱水機におけるごみかご本体の底部を回転可能に支持する支持装置であって、前記支持装置は台部と、軸部と、を有し、前記軸部は台部の表面のほぼ中心に配置するという手段を講じたものである。
【００１０】
流し台のシンクの排水口内において、生ごみ籠が設けられているが、その生ごみ籠を生ごみ脱水機に交換する際にその排水口内に前記支持装置を載置し、前記支持装置の軸部によって、生ごみ脱水機におけるごみかご本体の底部の中心を支持するというものである。これによって、当該生ごみ脱水機におけるごみかご本体の底部のほぼ中心に配置された軸受け部が当該装置によって支えられているので生ごみ脱水機におけるごみかご本体の回転がスムーズになり確実に生ごみの脱水をすることができる。
【００１１】
また、本実施例において、前記台部の裏面には、シンクの排水口内に配置される防臭わんの上部におけるつまみ部に係合する係合受部と、を有し、前記軸部は台部の表面のほぼ中心に配置するという手段を講じたものである。
【００１２】
流し台のシンクの排水口内において、生ごみ籠を配置し、その下に、封水を滞留させ、下水からの悪臭を防ぐための防臭わんが設けられている場合がある。この防臭わんの上部において、当該防臭わんを取り外すために使用するつまみ部が設けられている。このつまみ部は、薄い板状のものが防臭わん本体の上部に立設されているためにその薄い板状の厚みの部分の上に、生ごみ脱水機を載置することになる。しかしながら、防臭わんのつまみ部が生ごみ脱水機の底部を支持したとしても、必ずしも生ごみ脱水機の底部の中心が前記つまみ部に載置されるものではなく、また生ごみ脱水機と防臭わんにおけるつまみ部との接触部分の摩擦抵抗が大きいため、当該生ごみ脱水機をスムーズに回転することが難しいことから、脱水の効率が低下することになる。そこで上記支持装置における台部の裏面における係合受部と、防臭わんの上部のつまみ部が係合することによって、台部の表面中心に配置された軸部が、生ごみ脱水機の底部のほぼ中心に配置された軸受け部を支持することができるので生ごみ脱水機をスムーズに回転させることができる。
【００１３】
また、前記軸部は取り外し可能に配置することを特徴とするものである。軸部の長さを任意に交換できるようにしたものである。この場合、生ごみ脱水機の大小あるいは排水口内の深さによって適切な長さの軸部を選択することができる。
【００１４】
また、本実施例における前記係合受部は、排水口内に配置される防臭わんの上部における十字あるいはＹの字状の係合部と係合するために、前記台部における裏面に円形の内壁部と、台部の裏面外周に外壁部と、前記内壁部から外壁部に向かってほぼ放射状に溝状の係合受部と、を有し、前記放射状の係合受部は少なくとも、９０度ごとにずらしたほぼ十字状の第１係合受部と、ほぼ１２０度ごとにずらしたほぼＹの字状の第２係合受部と、を有するという手段を講じたものである。
【００１５】
シンクの排水口内において、生ごみ籠の下に配置されている防臭わんの上部につまみ部が設けられている。このつまみ部は薄板状のものをほぼ十字状に立設した構成を有するものと、ほぼＹの字状に立設した構成を有するものが存在しているが、これらのいずれの防臭わんにも係合することができるように構成した生ごみ脱水機の支持装置である。
【００１６】
また、前記９０度ごとにずらしたほぼ十字状の第１係合受部と、ほぼ１２０度ごとにずらしたほぼＹの字状の第２係合受部と、の一部が共通するという手段を講じたものである。このように構成することで、製造コストを低減することができるだけでなく、つまみ部の形状が異なる防臭わんを使用している場合であってもスムーズに生ごみ脱水機を回転させることができる。
【００１７】
また、ごみかご本体の底部における中心を、前記記載の生ごみ脱水機の支持装置によって支持するという手段を講じたものである。このように、ごみかご本体の底部の中心を支持することで当該ごみかご本体を回転させればスムーズに生ごみ脱水機が回転するので、生ごみを確実に脱水することができる。
【００１８】
また、生ごみ脱水機は、ごみかご本体と、蓋体と回転体と駆動体を有し、駆動体を回転させるとこれと噛合する回転体が回転し、回転体が有するかご体係合部がごみかご本体を回転させるとともに当該ごみかご本体の底部における中心を、上記生ごみ脱水機の支持装置によって支持するという手段を講じたものである。ごみかご本体の底部の中心を上記支持装置によって支持されるために駆動体を手動で回転しても、スムーズに生ごみ脱水機を回転させることができるので、生ごみを確実に脱水することができる。
【発明の効果】
【００１９】
本発明は以上のように構成され、かつ、作用するものであり、従来の流し台のシンクにおける排水口内において、生ごみ脱水機におけるごみかご本体の底部を円滑に回転することができ、かつ容易に取り付けることができる支持装置を提供することができる。また、前記支持装置により支持した前記生ごみ脱水機を提供することができる。
【図面の簡単な説明】
【００２０】
【図１】Ａは支持装置の平面図、Ｂは支持装置の側面図、Ｃは支持装置の底面図、Ｄは支持装置のＣにおけるＤ−Ｄ線断面図。
【図２】Ａは他の実施例における軸部の平面図、Ｂは他の実施例における軸部の側面図、Ｃはさらに他の実施例における軸部の平面図、Ｄはさらに他の実施例における軸部の側面図。
【図３】Ａは生ごみ脱水機の平面図、Ｂは生ごみ脱水機の側面図、Ｃは生ごみ脱水機の断面図。
【図４】Ａはごみかご本体の平面図、Ｂはごみかご本体の断面図、Ｃはごみかご本体の側面図。
【図５】Ａは他の実施例のごみかご本体の平面図、Ｂは他の実施例のごみかご本体の断面図、Ｃは他の実施例のごみかご本体の側面図。
【図６】Ａは蓋体の平面図、Ｂは蓋体の断面図、Ｃは蓋体の側面図、Ｄは蓋体の底面図。
【図７】Ａは回転体の平面図、Ｂは回転体の側面図、Ｃは回転体の断面図。
【図８】Ａは駆動体の平面図、Ｂは駆動体の断面図、Ｃは駆動体の底面図。
【図９】Ａは把持部の側面図、Ｂは把持部の底面図、Ｃは把持部の断面図。
【図１０】シンクの排水口内に防臭わんを配置した状態の斜視図。
【図１１】Ａはシンクの排水口内に防臭わんと支持装置と生ごみ脱水機を配置した状態の断面図。Ｂは、シンクの排水口内に防臭わんと支持装置と生ごみ脱水機を配置した状態の拡大断面図。
【図１２】シンクの排水口内に防臭わんを配置しない状態の斜視図。
【図１３】シンクの排水口内に支持装置と生ごみ脱水機を配置した状態の断面図。
【図１４】Ａは防臭わんの平面図、Ｂは防臭わんの側面図。
【図１５】Ａは防臭わんの平面図、Ｂは防臭わんの側面図。
【図１６】シンクの排水口内に他の防臭わんを配置した状態の斜視図。
【図１７】Ａは、他の防臭わんの平面図、Ｂは、同じく他の防臭わんの側面図、Ｃは、同じく他の防臭わんの斜視図。
【図１８】Ａは、取り付け部の平面図、Ｂは、同じく取り付け部の側面図、Ｃは、同じく取り付け部の斜視図。
【図１９】取り付け部を有する支持装置と他の防臭わんの組み立て斜視図。
【図２０】Ａはシンクの排水口内に他の防臭わんと支持装置と生ごみ脱水機を配置した状態の断面図。Ｂは、シンクの排水口内に他の防臭わんと支持装置と生ごみ脱水機を配置した状態の拡大断面図。
【図２１】Ａは、第２の支持装置の平面図、Ｂは、同じく第２の支持装置の側面図、Ｃは、同じく第２の支持装置の斜視図。
【図２２】第２の支持装置と他の防臭わんの組み立て斜視図。
【図２３】Ａはシンクの排水口内に他の防臭わんと第２の支持装置と生ごみ脱水機を配置した状態の断面図。Ｂは、シンクの排水口内に他の防臭わんと第２の支持装置と生ごみ脱水機を配置した状態の拡大断面図。
【発明を実施するための形態】
【００２１】
本実施例における支持装置１０は、軸部２０と台部３０を有するものであり前記軸部２０の下部２１はおねじ部であり、台部３０の上部３１はその内側にメネジ部３１ａを構成することで、前記下部２１と上部３１が螺合することによって接続されている。もっとも軸部２０と台部３０が一体として構成したものを排除する趣旨ではない。また、これらは合成樹脂で製作することができる。
【００２２】
また前記軸部２０の上部２２はほぼ円錐状であり、上部２２と下部２１の中間部２３は断面視俵型形状を呈している。もっともこの形状に限定されるものではない。尚、軸部２０′および軸部２０″についても、中間部２３′および中間部２３″の長さが異なるのみでその他の構成はほぼ同様のため符号を付してその説明は省略する。
【００２３】
台部３０は前記のとおり上部３１と台部本体３２を有し前記上部３１はほぼ円筒形を呈しその内部は上述のようにメネジ部３１ａを有している。台部本体３２は、内壁部３３と底面視ほぼ円状の外壁部３４を有し、内壁部３３から外壁部３４に向かって放射状の溝部３５ａ、３５ｂ、３５ｃ、３５ｄからなるほぼ十字状の溝部を有する第１係合受部３５と、内壁部３３から外壁部３４に向かって放射状の溝部３６ａ、３６ｂと３６ｃからなるほぼＹの字状の溝部である第２係合受部３６を有する構成である。
【００２４】
すなわち第１係合受部３５は、底面視ほぼ欠円状の内壁部３３から放射状に１２時の方向の溝部３５ａ、３時の方向の溝部３５ｂ、６時の方向の溝部３５ｃ、９時の方向の溝部３５ｄを有するものであり、ほぼ９０度ごとに配置されている。また、第２係合受部３６は、平面視ほぼ欠円状の内壁部３３から放射状に１２時の方向の溝部３６ａ、４時の方向の溝部３６ｂおよび８時の方向の溝部３６ｃを有するものであり、ほぼ１２０度ごとに配置されている。尚、本実施例では第１係合受部３５における１２時の方向の溝部３５ａと第２係合受部３６における１２時の方向の溝部３６ａは共通するというものであるが、共通しない場合も可能である。
【００２５】
生ごみ脱水機１００は、ごみかご本体１２０と、蓋体１４０と回転体１５０と駆動体１６０と把持部１７０を有するものである。また、これらは合成樹脂で製作することができる。ごみかご本体１２０は、底部１２１を有し側面部１２２を有する有底筒状であり上部の開口部１２６に向かって拡径する形状である。また、底部１２１の中心には、前記支持装置１０における軸部２０を受け入れるすり鉢状の軸受け部１２１ａを有している。
【００２６】
また、生ごみの水気が切れるように、側面部１２２は、一定間隔の隙間１２３が、複数設けられている。これは、複数の長片１３３と隙間１２３と短片１３４が交互に並べられて当該側面部１２２を構成し、その、複数の各長片１３３と複数の短片１３４の各下端部は底部１２１において一体化されている。
【００２７】
また、側面部１２２の上部は段差部１２４を有し当該側面部１２２の上方を周回するように配置している。またさらに段差部１２４の上端部はフランジ部１２５を有する。これは、後述の蓋体１４０を取り付けるというよりも載置するためのものである。
【００２８】
複数の各長片１３３の上端部１３３ａは、外方へ突出したフランジ状を呈し、前記段差部１２４の内面で一体となっている。また、複数の短片１３４の各上端部１３４ａは、外方へ突出することなく、ほぼ各長片１３３の上端部１３３ａの直下に位置するものである。したがって、各長片１３３の上端部１３３ａ、上端部１３３ａ同士の間は空所１３３ｂをそれぞれ有することになり、後述の回転体１５０の各かご体係合部１５４が係合するものである。
【００２９】
同様に、ごみかご本体１２０′は、ごみかご本体１２０よりもその容量が小であり、他の構成は、ごみかご本体１２０と同様である。念のため説明すると、ごみかご本体１２０′は、底部１２１′を有し側面部１２２′を有する有底筒状であり上部の開口部１２６′に向かって拡径する形状である。また、底部１２１′の中心には、前記支持装置１０における軸部２０を受け入れるすり鉢状の軸受け部１２１ａ′を有している。
【００３０】
また、生ごみの水気が切れるように、側面部１２２′は、一定間隔の隙間１２３′が、複数設けられている。これは、複数の長片１３３′と隙間１２３′と短片１３４′が交互に並べられて当該側面部１２２′を構成し、その、複数の各長片１３３′と複数の短片１３４′の各下端部は底部１２１′において一体化されている。
【００３１】
また、側面部１２２′の上部は段差部１２４′を有し当該側面部１２２′の上方を周回するように配置している。またさらに段差部１２４′の上端部はフランジ部１２５′を有し、後述の蓋体１４０を取り付けるというよりも載置するためのものである。
【００３２】
複数の各長片１３３′の上端部１３３ａ′は、外方へ突出したフランジ状を呈し、前記段差部１２４′の内面で一体となっている。また、複数の短片１３４′の各上端部１３４ａ′は、外方へ突出することなく、ほぼ各長片１３３′の上端部１３３ａ′の直下に位置するものである。したがって、各長片１３３′の上端部１３３ａ′、上端部１３３ａ′同士の間は空所１３３ｂ′をそれぞれ有することになり、後述の回転体１５０の各かご体係合部１５４が係合するものである。
【００３３】
蓋体１４０は後述する回転体１５０と駆動体１６０を回転可能に収容するものであって、文字通り前記ごみかご本体１２０の蓋として機能することができる。蓋体１４０は、下向きに開口するほぼ短円筒形状を呈するものである。また、つば部１４１の外径部分は、上部から順に、つば部大径部１４１ａ、つば部中径部１４１ｂ、つば部小径部１４１ｃが配置され、文字通り、つば部大径部１４１ａ、つば部中径部１４１ｂ、つば部小径部１４１ｃの順に縮径したものであって、口径の異なる排水口に対応するように構成している。このように排水口２０２の口径の大きさは、いくつかのバリエーションがあるものの、上記のつば部中径部１４１ｂ、つば部小径部１４１ｃを蓋体１４０に有することで異なるシンクの排水口の口径に対応することができる。
【００３４】
また、円周溝１４２は、平面視、円形の蓋体１４０においてその中心からずれた位置に配置されている。ここで、ずれた位置とは、円形の蓋体１４０の中心と、円周溝１４２の中心が一致しないということである。また、この円周溝１４２は、後述する駆動体１６０の平面視円形のつば部１６２が配置されるものであり、駆動体１６０が回転するための軌道を規定したものである。よって、これにより駆動体１６０の回転を円滑に行うことができる。また、その円周溝１４２の径は蓋体１４０の径のほぼ半分であるがこれに限定されるものではない。
【００３５】
軸受け部１４３は、後述する駆動体１６０の駆動軸部１６４と嵌合するものであり、駆動体１６０を回転可能に支持するものである。また、空所１４５は、後述の回転体１５０における歯車１５３の一部が配置されるものである。支え部１４６は、後述の駆動体１６０を回転させる場合に支えとなるものである。
【００３６】
軸受け部１４４は、後述する回転体１５０の回転軸部１５２と嵌合するものであり、回転体１５０を回転可能に支持するものである。
【００３７】
回転体１５０は、平面視ほぼ円形の回転本体１５１を有し、その中心に回転軸部１５２が上方へ突出するように配置されている。回転軸部１５２は、２股に分割された先端１５２ａ、１５２ａを有し、その間に、空所１５２ｂを有することによって内径方向に変形可能に構成され、また、該先端１５２ａ、１５２ａは外方に突出した形状を呈することによって、前記軸受け部１４４から回転軸部１５２が抜け出すことを防止しつつ、回転体１５０を回転可能に支持するものである。
【００３８】
歯車１５３は、前記回転軸部１５２周りに配置され、その中心は回転軸部１５２と一致する。またその内部に空所１５３ａを有している。さらに、回転本体１５１の下部には、前記回転本体１５１から垂れ下がるようにかご体係合部１５４が複数配置されている。
【００３９】
駆動体１６０は、全体としてほぼ短円筒形状を呈し、駆動本体１６１の外周を取り囲むようにつば部１６２を配置し、そのつば部１６２の内側即ち内周面に、歯車部１６３を配置している。また駆動軸部１６４は駆動本体１６１における裏側の中心から、前記つば部１６２の内部に突出する構成である。また、駆動軸部１６４は、２股に分割された先端１６４ａ、１６４ａを有し、その間に、空所１６４ｂを有することによって内径方向に変形可能に構成され、また、該先端１６４ａ、１６４ａは外方に突出した形状を呈することによって、前記軸受け部１４３から駆動軸部１６４が抜け出すことを防止しつつ、駆動体１６０を回転可能に支持するものである。また、把持受け部１６５は、後述する把持部１７０と嵌合するものである。
【００４０】
把持部１７０も下向きに開口するものであり、把持部本体１７１とつば部１７２によりほぼ円筒形状を呈するものである。軸部１７３は、中空筒状であり、分割された先端１７３ａ、１７３ａを有し、その間に、空所１７３ｂを有することによって内径方向に変形可能に構成され、また、該先端１７３ａ、１７３ａは外方に突出した形状を呈することによって、前記把持受け部１６５から軸部１７３が抜け出すことを防止しつつ、把持部１７０を回転可能に支持するものである。
【００４１】
ごみかご本体１２０と、蓋体１４０と回転体１５０と駆動体１６０と把持部１７０を組み立てることにより、生ごみ脱水機１００を構成する。この場合、蓋体１４０における円周溝１４２内に、前記駆動体１６０のつば部１６２が配置されると同時に軸受け部１４３は、前記駆動体１６０の駆動軸部１６４と回転可能に嵌合する。
【００４２】
また、回転体１５０は、蓋体１４０における軸受け部１４４に回転可能に支持されるとともに歯車１５３が軸受け部１４４の周りに配置される。このように、蓋体１４０と回転体１５０と駆動体１６０を組み合わせると、回転体１５０における回転軸部１５２周りに配置され、歯車１５３と駆動体１６０におけるつば部１６２の内周面に配置された歯車部１６３が噛合する。本実施例においては、歯車１５３は、歯数が１７であり、歯車部１６３の歯数は６５であるので、駆動体１６０を一回転させると、ごみかご本体１２０は、およそ３．８回転するものである。もっともこのようなギヤ比に限定されるものではないことは言うまでもない。
【００４３】
蓋体１４０と回転体１５０と駆動体１６０が組み合わされたものを、ごみかご本体１２０に配置する。この場合回転体１５０における複数のかご体係合部１５４は、ごみかご本体１２０と係合する。すなわち、複数のかご体係合部１５４は、ごみかご本体１２０の側面部１２２における、各長片１３３の上端部１３３ａと上端部１３３ａの間の空所１３３ｂと、回転体１５０の各かご体係合部１５４が係合する。
【００４４】
流し台２００のシンク２０１の排水口２０２内において、封水２０３を滞留させ、下水からの悪臭を防ぐために防臭わん２１０あるいは防臭わん２２０が配置されている（図１０、１１Ａ、１１Ｂ参照）。また、前記防臭わん２１０あるいは防臭わん２２０を配置する代わりにいわゆるＳ字トラップ３２０を設けることにより悪臭を防止している。この場合排水口２０２′内における底部分３００はほぼ平らである（図１３参照）。もっとも、前記底部分３００は緩やかに傾斜するものであっても問題ない。
【００４５】
使用方法としては、流し台２００のシンク２０１における排水口２０２の内部において、図示しない生ごみ籠が配置されている場合がある。この場合、前記生ごみ籠を取り外すと、その下に防臭わん２１０が配置されている。この前記防臭わん２１０の上部には、当該防臭わん２１０を取り外しするために使用する十字状のつまみ部２１１が設けられている。この場合、上記支持装置１０の台部３０における十字状の溝部である第１係合受部３５と上記十字状のつまみ部２１１が係合することで、シンク２０１における排水口２０２内に支持装置１０を配置することができ、その上に生ごみ脱水機１００を配置する。
【００４６】
このとき、生ごみ脱水機１００から、回転体１５０と駆動体１６０が取り付けられた蓋体１４０を一度取り除く。この後、調理することにより排出された生ごみを、ごみかご本体１２０内に回収したのちに、再び上記蓋体１４０をごみかご本体１２０上に載置する。この場合、上記蓋体１４０は、排水口２０２と係合する。すなわち蓋体１４０におけるつば部小径部１４１ｃと係合する（図１１Ａ、１１Ｂ参照）。したがって、つば部大径部１４１ａとつば部中径部１４１ｂは、排水口２０２内に入ることはなく、縁部２０２ａ上に載置されることになる。よって蓋体１４０は、ごみかご本体１２０に取り付けるといっても、蓋体１４０自体は、排水口２０２と係合することによって、蓋体１４０自体が吊り下げられた状態となり、蓋体１４０および当該蓋体１４０に配置された回転体１５０における回転本体１５１が、ごみかご本体１２０を圧迫しないように配置された状態となる（図１１Ａ、１１Ｂ参照）。
【００４７】
なお、排水口の口径によっては、上述の蓋体１４０のつば部１４１におけるつば部中径部１４１ｂ、つば部小径部１４１ｃのいずれかと係合することができる。よって、生ごみ脱水機１００は、前記軸部２０と、シンクにおける排水口２０２で支えることができ、生ごみ脱水機１００の回転をよりスムーズにすることを可能にするという構成である。
【００４８】
ごみかご本体１２０は、回転本体１５１から垂れ下がるように配置された複数のかご体係合部１５４と係合しているために、ごみかご本体１２０の中心は蓋体１４０の中心と一致し、上記のとおり蓋体１４０と排水口２０２の中心も一致する。よってごみかご本体１２０は、排水口２０２よりもその径が小であるために排水口２０２の内部と多少接する場合があるものの、ごみかご本体１２０がスムーズに回転することができる。なお、排水口の大きさによって当該排水口と係合するものが、つば部中径部１４１ｂである場合は、つば部大径部１４１ａが、排水口内に入ることはなく、縁部２０２ａ上に載置されることになり、上記とほぼ同様にごみかご本体１２０がスムーズに回転することができる。
【００４９】
また、排水口２０２と異なる口径の排水口であっても、そのバリエーションは限定的であるので、あらかじめ他の口径の寸法に設定することにより、上述の蓋体１４０のつば部１４１におけるつば部中径部１４１ｂ、つば部小径部１４１ｃのいずれかと、前記排水口は係合することができる。そのために、安定して蓋体１４０を上記排水口に配置することができる。よって、蓋体１４０の中心は排水口の中心と同一線上に配置される。また、側面部１２２において複数の長片１３３と短片１３４が設けられ、各長片１３３の上端部１３３ａと上端部１３３ａの間の複数の空所１３３ｂと、回転体１５０における回転本体１５１から垂れ下がるように配置された複数の各かご体係合部１５４と係合することで蓋体１４０とごみかご本体１２０の位置が定まることにより、ごみかご本体１２０をほぼ排水口内の中心に配置することができる。よって、ごみかご本体１２０の中心と蓋体１４０の中心と排水口の中心がほぼ同一線上に配置され、また、前記軸部２０が、ごみかご本体１２０における底部１２１のほぼ中心に配置されている軸受け部１２１ａを支えることから、生ごみ脱水機１００におけるみかご本体１２０の回転をよりスムーズにすることが可能となる。なお、排水溝の口径としては、その内径が１４５ｍｍ、１４８．５０ｍｍ、７９．８ｍｍ、８６ｍｍ、８６．８０ｍｍなどのバリエーション及びその他規格も存在するが、これらに限られることはない。
【００５０】
また、シンク２０１における排水口２０２内に防臭わん２２０を配置した場合であっても同様に防臭わん２２０の上部に当該防臭わん２２０を取り外しするために使用するＹの字状のつまみ部２２１が設けられている。上記支持装置１０の台部３０におけるＹの字状の溝部である第２係合受部３６と上記Ｙの字状のつまみ部２２１が係合することで、シンク２０１における排水口２０２内に、支持装置１０と生ごみ脱水機１００を配置する（図１０参照）。
【００５１】
なお、ごみかご本体１２０のフランジ部１２５が排水口２０２内の段差部２０４に接しないように配置し、回転体１５０におけるかご体係合部１５４がごみかご本体１２０と係合し、蓋体１４０が、排水口２０２と係合している状態において、排水口２０２内の深さに応じて、軸部２０の長さを適宜変更することができる。
【００５２】
また、防臭わん２１０あるいは２２０のいずれであっても、生ごみ脱水機１００の底部１２１の中心に配置した軸受け部１２１ａを支持装置１０で支えているので、支え部１４６を手で支えつつ、把持部１７０を持ち、駆動体１６０を、円周溝１４２内において回転すると、上記のとおり、つば部１６２の内周面に配置された歯車部１６３が回転し、それと噛合する歯車１５３が回転する。前記歯車１５３は回転体１５０における軸部１５２周りに配置され一体であることから、回転体１５０におけるかご体係合部１５４が回転し、そのかご体係合部１５４と係合するごみかご本体１２０が回転することで生ごみを脱水することができる。
【００５３】
なお、駆動体１６０が蓋体１４０の中心からずれた位置に配置されていることから、支持装置１０を配置することなくシンク２０１における排水口２０２内に生ごみ脱水機１００のみを配置すると駆動体１６０に配置されている把持部１７０を回しても力のかかり具合が偏向し回転がスムーズにいかない可能性があるが、上記のとおり排水口２０２内に配置する際に、支持装置１０の上に生ごみ脱水機１００を配置し、かつシンク２０１の排水口２０２が当該生ごみ脱水機１００における蓋体１４０と係合することで前記排水口２０２に支持され、かつ底部１２１の中心が支持装置１０に支持されているために、駆動体１６０が蓋体１４０の中心から偏心していたとしてもスムーズに回転することができ、回収された生ごみを脱水することができる。なお、駆動体１６０が蓋体１４０の中心から偏心するというのは、駆動体１６０の回転する中心が蓋体１４０の中心からずれるということであり駆動体１６０の回転する中心と蓋体１４０の中心が一致しないということである。
【００５４】
また流し台２００′のシンク２０１′の排水口２０２′の内部において防臭わん２１０、２２０を用いず、いわゆるＳ字トラップ３２０を配置することで排水口２０２′内に底部分３００が設けられている場合においても、上記支持装置１０をその底部分３００に載置することにより、当該支持装置１０の軸部２０とすり鉢状の軸受け部１２１ａが係合し、かつシンクの排水口２０２′が蓋体１４０と係合することで、生ごみ脱水機１００′を、シンクにおける排水口２０２′と支持装置１０で支えることができるので、上記と同様にごみかご本体１２０′が回転することによりごみかご本体１２０′内に回収された生ごみの水気を遠心力で飛ばすことができる（図１３参照）。
【００５５】
尚、上記第２実施例における生ごみ脱水機１００′は、ごみかご本体１２０′と、蓋体１４０と回転体１５０と駆動体１６０と把持部１７０を有するものであり、ごみかご本体１２０′とごみかご本体１２０はその容量が相違するのみで他の蓋体１４０と回転体１５０と駆動体１６０と把持部１７０の構成は同一であるので符号を付しその説明は省略する（図１２参照）。尚、排水口内の深さによって、生ごみ脱水機１００あるいは生ごみ脱水機１００′を適宜選択することができることは言うまでもない。
【００５６】
また、上記の防臭わん２１０、２２０以外に他の防臭わん２３０が存在する場合がある。この他の防臭わん２３０も、上記と同様に  流し台２００のシンク２０１の排水口２０２内において、封水２０３を滞留させ、下水からの悪臭を防ぐために配置することができる（図１６、図２０、図２３参照）。しかしながら、この防臭わん２３０は後述するようにつまみ部が存在しないために、上記の支持装置１０のみでは係合せず、ごみかご本体１２０の回転中心を支えることができない。従って、生ごみ脱水機１００を配置して、生ごみを脱水することができない。よって、このような上記防臭わん２３０に、生ごみ脱水機１００を配置する場合において、この防臭わん２３０に、取り付け部４００を取り付け、この取り付け部４００に、上記支持装置１０を取り付けることで、生ごみ脱水機１００を配置することができる。すなわち上記支持装置１０における台部３０の裏面には、シンク２０１の排水口内２０２に配置される防臭わん２３０の溝部２４０に取り付けるための取り付け部４００と係合する係合受部を有するというものであり、これに、取り付け部４００を取り付けることができるというものである。また、前記係合受部は、Ｙの字状の第２係合受部３６であっても好ましい。
【００５７】
ここで、防臭わん２３０を説明する。この防臭わん２３０は、上端部２３１と円筒形状を呈する本体部２３２を有するものである。また、溝部２４０を有し、溝部２４０は、第１溝部２４１、第２溝部２４２、第３溝部２４３を有するものである。この、第１溝部２４１、第２溝部２４２、第３溝部２４３は、上端部２３１において、中心角を１２０度ごとにずらし、その上端部２３１の円周部分において、平面視放射状に配置したものである。また、前記第１溝部２４１、第２溝部２４２、第３溝部２４３はそれぞれ前記上端部２３１から、本体部２３２の下端部２３３の上方付近にわたって配置されている。この第１溝部２４１、第２溝部２４２、第３溝部２４３は、後述するシンク２０１に配置する場合、または取り外す場合において、その第１溝部２４１、第２溝部２４２、第３溝部２４３に指を掛けて取り外しする際に使用することができる。従って、この防臭わん２３０は、上記の防臭わん２１０、２２０と相違し、つまみ部は存在しないというものである。
【００５８】
また、取り付け部４００は、台座４０１と、第１脚部４１０と、第２脚部４２０と、第３脚部４３０と、を有し、前記台座４０１を中心としてほぼ放射状に、かつその角度を１２０度ごとに、第１脚部４１０と、第２脚部４２０と、第３脚部４３０と、を配置する（図１８参照）。尚、ほぼとは、一見してそのように認識できれば足りると言うものである。
【００５９】
第１脚部４１０は、第１脚上部４１１、第１脚下部４１２と、を有し、前記第１脚上部４１１の一方は、台座４０１と接続し、その接続した箇所から水平に配置され、前記第１脚４１１の他方は、前記第１脚下部４１２に接続される。この第１脚下部４１２は、前記第１脚上部４１１から垂下するように接続される。
【００６０】
また、第２脚部４２０も、前記第１脚部４１０と同様に構成され、第２脚部４２０は、第２脚上部４２１と、第２脚下部４２２と、を有し、前記第２脚上部４２０の一方は、台座４０１と接続し、その接続した箇所から水平に配置され前記第２脚４２１の他方は、前記第２脚下部４２２に接続される。この第２脚下部４２２は、前記第２脚上部４２１から垂下するように接続される。
【００６１】
さらに、第３脚部４３０も、前記第１脚部４１０と同様に構成され、第３脚部４３０は、第３脚上部４３１と、第３脚下部４３２と、を有し、前記第３脚上部４３１の一方は、台座４０１と接続し、その接続した箇所から水平に配置され前記第３脚部４３０の他方は、前記第３脚下部４３２に接続される。この第３脚下部４３２は、前記第３脚上部４３１から垂下するように接続される。
【００６２】
上記構成の、防臭わん２３０における、前記第１溝部２４１、第２溝部２４２、第３溝部２４３に、それぞれ、前記台座４０１の第１脚部４１０と、第２脚部４２０と、第３脚部４３０と、をそれぞれ配置する。すなわち、第１脚部４１０における第１脚下部４１２と、第２脚部４２０における第１脚下部４２２と、第３脚部４３０における第３脚下部４３２とを、それぞれ、防臭わん２３０における、第１前記溝部２４１と、第２溝部２４２と、第３溝部２４３と、に係合する。
【００６３】
上記のとおり、防臭わん２３０に、取り付け部４００を取り付け、これに支持装置１０を取り付ける。これは、前記支持装置１０における第２係合受部３６に、第１脚部４１０と、第２脚部４２０と、第３脚部４３０と、を配置する。
【００６４】
すなわち、支持装置１０における溝部３６ａと、３６ｂと、３６ｃと、からなるほぼＹの字状の溝部である第２係合受部３６に、それぞれ、第１脚部４１０における第１脚上部４１１と、第２脚部４２０における第２脚上部４２１と、第３脚部４３０における第３脚上部４３１と、を取り付ける。このように支持装置１０における前記第２係合受部３６に、取り付け部４００をあらかじめ取り付けて、支持装置１５とすることもできる。
【００６５】
このようにして、防臭わん２３０に、取り付け部４００を取り付け、これに支持装置１０を取り付け、その支持装置１０の上に生ごみ脱水機１００を配置する。生ごみ脱水機１００の底部１２１の中心に配置した軸受け部１２１ａを前記支持装置１０で支えている。従って、支え部１４６を手で支えつつ、把持部１７０を持ち、駆動体１６０を、円周溝１４２内において回転すると、上記のとおり、つば部１６２の内周面に配置された歯車部１６３が回転し、それと噛合する歯車１５３が回転する。前記歯車１５３は回転体１５０における軸部１５２周りに配置され一体であることから、回転体１５０におけるかご体係合部１５４が回転し、そのかご体係合部１５４と係合するごみかご本体１２０が回転することで生ごみを脱水することができる。この点については上述したとおりである。なお、シンク２０１における排水口２０２に深さによって、軸部２０を、軸部２０′または軸部２０″に変更することができる。
【００６６】
また、防臭わん２３０に、第２の実施例における支持装置５０を取り付け、それに、生ごみ脱水機１００を配置することもできる。第２の支持装置５０は、生ごみ脱水機１００を支持するための第２の軸部６０と防臭わん２３０に取り付けるための脚部８０と、を有している。脚部８０は、第１脚体８１と、第２脚体８２と、第３脚体８３と、を有し、いずれも上記の取り付け部４００における第１脚部４１０と、第２脚部４２０と、第３脚部４３０と、における構成と同様である。すなわち、第１脚体８１は、第１脚体上部８１ａと、第１脚体下部８１ｂと、を有し、前記第１脚体上部８１ａの一方は、第２の軸部６０と接続し、その接続した箇所から水平に配置され、前記第１脚体上部８１ａの他方は、前記第１脚体下部８１ｂに接続されている。従って、この第１脚体下部８１ｂは、前記第１脚体上部８１ａから垂下するように接続される。尚、図示しないが軸部６０は、排水口２０２に深さによって、取り外し可能であることが好ましい。
【００６７】
なお、第２脚体８２および第３脚体８３も同様の構成であり、それぞれ、第２脚体８２は、第２脚体上部８２ａと第２脚体下部８２ｂとを有するものである。また、同様に、第３脚体８３は、第３脚体上部８３ａと第３脚体下部８３ｂとを有するものである。また、脚部８０における、第１脚体８１、第２脚体８２、第３脚体８３は、軸部６０に対して平面視において、１２０度ごとに、放射状に配置されている。
【００６８】
上記構成の防臭わん２３０における、前記第１溝部２４１と、第２溝部２４２と、第３溝部２４３とに、それぞれ第２の支持装置５０における脚部８０を配置する。すなわち、第１脚体８１、第２脚体８２、第３脚体８３におけるそれぞれの、第１脚体下部８１ｂ、第２脚体下部８２ｂ、第３脚体下部８３ｂを配置する。
【００６９】
そのようにして防臭わん２３０に、支持装置５０を配置する。さらに、上記のとおりその支持装置５０の上に、生ごみ脱水機１００を配置する。生ごみ脱水機１００の底部１２１の中心に配置した軸受け部１２１ａを支持装置１０で支えているので、支え部１４６を手で支えつつ、把持部１７０を持ち、駆動体１６０を、円周溝１４２内において回転すると、上記のとおり、つば部１６２の内周面に配置された歯車部１６３が回転し、それと噛合する歯車１５３が回転する。前記歯車１５３は回転体１５０における軸部１５２周りに配置され一体であることから、回転体１５０におけるかご体係合部１５４が回転し、そのかご体係合部１５４と係合するごみかご本体１２０が回転することで生ごみを脱水することができる。この点については上述したとおりである。また、排水口内の深さによって、生ごみ脱水機１００あるいは生ごみ脱水機１００′を適宜選択することができることも上述のとおりである。また、防臭わん２３０に、取り付け部４００を取り付け、これに支持装置１０を取り付け、その支持装置１０の上に生ごみ脱水機１００′を配置した場合であっても、同様である。
【符号の説明】
【００７０】
１０、１５、支持装置
２０、２０′、２０″軸部
２１、下部
２２、上部
２３、２３′、２３″中間部
３０、台部
３１、上部
３３、内壁部
３４、外壁部
３５、第１係合受部
３６、第２係合受部
５０、第２の支持装置
６０、第２の軸部
８０、脚部
１００、生ごみ脱水機
１２０、ごみかご本体
１４０、蓋体
１５０、回転体
１５４、かご体係合部
１６０、駆動体
１７０、把持部
２０１、２０１′、シンク
２０２、２０２′、排水口
２１０、２２０、２３０、防臭わん
３００、底部分
４００、取り付け部
【図１】
2016205114.tif 000003
【図２】
2016205114.tif 000004
【図３】
2016205114.tif 000005
【図４】
2016205114.tif 000006
【図５】
2016205114.tif 000007
【図６】
2016205114.tif 000008
【図７】
2016205114.tif 000009
【図８】
2016205114.tif 000010
【図９】
2016205114.tif 000011
【図１０】
2016205114.tif 000012
【図１１】
2016205114.tif 000013
【図１２】
2016205114.tif 000014
【図１３】
2016205114.tif 000015
【図１４】
2016205114.tif 000016
【図１５】
2016205114.tif 000017
【図１６】
2016205114.tif 000018
【図１７】
2016205114.tif 000019
【図１８】
2016205114.tif 000020
【図１９】
2016205114.tif 000021
【図２０】
2016205114.tif 000022
【図２１】
2016205114.tif 000023
【図２２】
2016205114.tif 000024
【図２３】
2016205114.tif 000025